(57)【要約】【課題】再生エラーの発生により従来再生が途切れたり再生できなかった部分であっても、再生を継続することができるディスク再生装置を提供する。【解決手段】データの再生方式を異ならせて異なる領域に記録させたディスクから再生環境に応じて再生するデータを選択するディスク再生装置であって、選択したデータの再生エラーの発生を検出して選択したデータに代えて選択したデータと異なる再生方式のデータの再生に切り替える再生切り替え手段１００を備える。【選択図】  図１
2006179161.tif 000002
【特許請求の範囲】
【請求項１】
データの再生方式を異ならせて異なる領域に記録させたディスクから再生環境に応じて再生するデータを選択するディスク再生方法であって、
選択したデータの再生エラーの発生を検出して選択したデータに代えて選択したデータと異なる再生方式のデータの再生に切り替える再生切り替えステップを有するディスク再生方法。
【請求項２】
前記再生切り替えステップは、前記再生エラーの発生位置の経過を検出して切り替え前に再生していたデータの再生に切り替える請求項１記載のディスク再生方法。
【請求項３】
前記再生切り替えステップは、トラックの再生終了を検出して切り替え前に再生していたデータの再生に切り替える請求項１記載のディスク再生方法。
【請求項４】
前記再生切り替えステップは、選択したステレオ再生方式のデータの再生エラーを検出してマルチチャンネル再生方式のデータのダウンミックスによる再生に切り替える請求項１記載のディスク再生方法。
【請求項５】
前記再生切り替えステップは、選択したマルチチャンネル再生方式のデータの再生エラーを検出してステレオ再生方式のデータのマルチチャンネル拡張による再生に切り替える請求項１記載のディスク再生方法。
【請求項６】
再生データの切り替えを報知するステップを有する請求項１記載のディスク再生方法。
【請求項７】
外部指示により前記再生切り替えステップによる再生データの切り替えを許可するステップを有する請求項１記載のディスク再生方法。
【請求項８】
データの再生方式を異ならせて異なる領域に記録させたディスクから再生環境に応じて再生するデータを選択するディスク再生装置の制御プログラムであって、コンピュータに、
選択したデータの再生エラーの発生を検出して選択したデータに代えて選択したデータと異なる再生方式のデータの再生に切り替える再生切り替えステップを実行させるための制御プログラム。
【請求項９】
前記再生切り替えステップは、前記再生エラーの発生位置の経過を検出して切り替え前に再生していたデータの再生に切り替える請求項８記載の制御プログラム。
【請求項１０】
前記再生切り替えステップは、トラックの再生終了を検出して切り替え前に再生していたデータの再生に切り替える請求項８記載の制御プログラム。
【請求項１１】
前記再生切り替えステップは、選択したステレオ再生方式のデータの再生エラーを検出してマルチチャンネル再生方式のデータのダウンミックスによる再生に切り替える請求項８記載の制御プログラム。
【請求項１２】
前記再生切り替えステップは、選択したマルチチャンネル再生方式のデータの再生エラーを検出してステレオ再生方式のデータのマルチチャンネル拡張による再生に切り替える請求項８記載の制御プログラム。
【請求項１３】
コンピュータに、再生データの切り替えを報知するステップを実行させるための請求項８記載の制御プログラム。
【請求項１４】
コンピュータに、外部指示により前記再生切り替えステップによる再生データの切り替えを許可するステップを実行させるための請求項８記載の制御プログラム。
【請求項１５】
請求項８ないし１４のいずれか一項記載の制御プログラムを記録した記録媒体。
【請求項１６】
請求項８ないし１４のいずれか一項記載の制御プログラムを記録したメモリを搭載したディスク再生装置。
【請求項１７】
データの再生方式を異ならせて異なる領域に記録させた光ディスクから再生環境に応じて再生するデータを選択するための光ディスク用信号処理回路であって、
光ディスクからデータを読み出す読み出し手段と、
前記読み出し手段によって読み出されたデータから音声を復調するための音声再生手段と、
前記読み出し手段によって読み出されたデータを再生させるための管理情報を記憶する管理情報記憶手段と、
再生するデータを制御する再生データ制御手段と、
を備え、
前記再生データ制御手段は、選択したデータの再生エラーの発生を検出して選択したデータに代えて選択したデータと異なる再生方式のデータの再生に切り替える再生切り替え手段を有する光ディスク用信号処理回路。
【請求項１８】
前記再生切り替え手段は、前記再生エラーの発生位置の経過を検出して切り替え前に再生していたデータの再生に切り替える請求項１７記載の光ディスク用信号処理回路。
【請求項１９】
前記再生切り替え手段は、トラックの再生終了を検出して切り替え前に再生していたデータの再生に切り替える請求項１７記載の光ディスク用信号処理回路。
【請求項２０】
前記再生切り替え手段は、選択したステレオ再生方式のデータの再生エラーを検出してマルチチャンネル再生方式のデータのダウンミックスによる再生に切り替える請求項１７記載の光ディスク用信号処理回路。
【請求項２１】
前記再生切り替え手段は、選択したマルチチャンネル再生方式のデータの再生エラーを検出してステレオ再生方式のデータのマルチチャンネル拡張による再生に切り替える請求項１７記載の光ディスク用信号処理回路。
【請求項２２】
再生データの切り替えを報知する報知手段を備える請求項１７記載の光ディスク用信号処理回路。
【請求項２３】
外部指示により前記再生切り替え手段による再生データの切り替えを許可する許可手段を備える請求項１７記載の光ディスク用信号処理回路。
【請求項２４】
前記データは、ＤＶＤ−Ａｕｄｉｏ規格に準拠したデータ構造のＡＵＤＩＯデータである請求項１〜７のいずれか一項記載のディスク再生方法。
【発明の詳細な説明】
【技術分野】
【０００１】
本発明は、ディスク再生方法、その制御プログラム、記録媒体、ディスク再生装置及び光ディスク用信号処理回路に関する。
【背景技術】
【０００２】
近年、ホームシアターシステムなどにより、５．１ｃｈのマルチチャンネルオーディオシステムが急速に普及している。一方、従来の２ｃｈステレオのオーディオシステムでの再生のニーズも根強いものがあり、このようなユーザー毎のオーディオシステムの差にも対応できるＤＶＤ―Ａｕｄｉｏなどの仕様が提唱されている。このＤＶＤ―Ａｕｄｉｏでは、同じ楽曲についてマルチチャンネルとステレオという再生方式の異なる２種類の音声データが同一ディスクに収録されており、ユーザーが使用するオーディオシステムに応じて最適な音声データの再生を行うことができる（例えば、特許文献１参照）。
【特許文献１】特開平１１―２９６９９８号公報（第９−３３頁、第１図）
【発明の開示】
【発明が解決しようとする課題】
【０００３】
ところで、光ディスクでは、音声データが記録されている面に傷がついたりすると、その部分から音声データを読み出すことができなくなり、再生できなくなる。また、音声データがデジタルデータである場合、データに異常や欠損等が存在するとその部分が再生できない。
【０００４】
本発明は、上記従来の事情に鑑みてなされたものであって、再生エラーの発生により従来再生が途切れたり再生できなかった部分であっても、再生を継続することができるディスク再生方法、その制御プログラム、記録媒体及びディスク再生装置を提供することを目的とする。
【課題を解決するための手段】
【０００５】
本発明のディスク再生方法は、データの再生方式を異ならせて異なる領域に記録させたディスクから再生環境に応じて再生するデータを選択するディスク再生方法であって、選択したデータの再生エラーの発生を検出して選択したデータに代えて選択したデータと異なる再生方式のデータの再生に切り替える再生切り替えステップを有する。
【０００６】
上記構成によれば、選択したデータの再生エラーの発生を検出して選択したデータに代えて選択したデータと異なる再生方式のデータの再生に切り替えることにより、再生エラーの発生により従来再生が途切れたり再生できなかった部分であっても、再生を継続することができる。
【０００７】
また、本発明のディスク再生方法は、前記再生切り替え手段が、前記再生エラーの発生位置の経過を検出して切り替え前に再生していたデータの再生に切り替えるものである。上記構成によれば、異なる再生方式のデータに切り替えて再生を行っても、エラーの発生位置が経過した後には元のデータでの再生に復帰するため、再生が中断することなく、且つエラー部分以外は元のデータでディスクの再生を行うことができる。
【０００８】
また、本発明のディスク再生方法は、前記再生切り替え手段が、トラックの再生終了を検出して切り替え前に再生していたデータの再生に切り替えるものである。上記構成によれば、エラー部分が含まれるトラックのみ異なる再生方式のデータに再生が切り替えられ、それ以外のトラックでは元のデータでの再生に復帰するため、再生が中断することなく、且つエラー部分を含むトラック以外は元のデータでディスクの再生を行うことができる。
【０００９】
また、本発明のディスク再生方法は、前記再生切り替え手段が、選択したステレオ再生方式のデータの再生エラーを検出してマルチチャンネル再生方式のデータのダウンミックスによる再生に切り替えるものである。上記構成によれば、ステレオ再生方式のデータの再生中にマルチチャンネルの音声データへ再生が切り替えられる場合にダウンミックスが実行されるため、再生する音声データが途中で切り替わっても、再生環境により適した形態で再生を行うことができる。
【００１０】
また、本発明のディスク再生方法は、前記再生切り替え手段が、選択したマルチチャンネル再生方式のデータの再生エラーを検出してステレオ再生方式のデータのマルチチャンネル拡張による再生に切り替えるものである。上記構成によれば、マルチチャンネル再生方式のデータの再生中にステレオのデータへ再生が切り替えられる場合にはマルチチャンネル拡張が実行されるため、再生するデータが途中で切り替わっても、再生環境により適した形態で再生を行うことができる。
【００１１】
また、本発明のディスク再生方法は、再生データの切り替えを報知する手段を備える。上記構成によれば、再生データの切り替えを報知することにより、再生の切り替えによって影響が生じることをユーザーに予め認識させることができる為、ユーザーの混乱を防止できる。
【００１２】
また、本発明のディスク再生方法は、外部指示により前記再生切り替え手段による再生データの切り替えを許可する手段を備える。上記構成によれば、再生の切り替えを行うか否かをユーザーが設定できるため、自動で再生が切り替わることによるユーザーの混乱を防止できる。
【００１３】
また、本発明の制御プログラムは、データの再生方式を異ならせて異なる領域に記録させたディスクから再生環境に応じて再生するデータを選択するディスク再生装置の制御プログラムであって、コンピュータに、選択したデータの再生エラーの発生を検出して選択したデータに代えて選択したデータと異なる再生方式のデータの再生に切り替える再生切り替えステップを実行させるための制御プログラムである。
【００１４】
また、本発明の制御プログラムは、前記再生切り替えステップが、前記再生エラーの発生位置の経過を検出して切り替え前に再生していたデータの再生に切り替えるものである。
【００１５】
また、本発明の制御プログラムは、前記再生切り替えステップが、トラックの再生終了を検出して切り替え前に再生していたデータの再生に切り替えるものである。
【００１６】
また、本発明の制御プログラムは、前記再生切り替えステップが、選択したステレオ再生方式のデータの再生エラーを検出してマルチチャンネル再生方式のデータのダウンミックスによる再生に切り替えるものである。
【００１７】
また、本発明の制御プログラムは、前記再生切り替えステップが、選択したマルチチャンネル再生方式のデータの再生エラーを検出してステレオ再生方式のデータのマルチチャンネル拡張による再生に切り替えるものである。
【００１８】
また、本発明の制御プログラムは、コンピュータに、再生データの切り替えを報知するステップを実行させるための制御プログラムである。
【００１９】
また、本発明の制御プログラムは、コンピュータに、外部指示により前記再生切り替えステップによる再生データの切り替えを許可するステップを実行させるための制御プログラムである。
【００２０】
また、本発明の記録媒体は、本発明の制御プログラムを記録した記録媒体である。
【００２１】
また、本発明のディスク再生装置は、本発明の制御プログラムを記録したメモリを搭載したものである。
【００２２】
また、本発明の光ディスク用信号処理回路は、データの再生方式を異ならせて異なる領域に記録させた光ディスクから再生環境に応じて再生するデータを選択するための光ディスク用信号処理回路であって、光ディスクからデータを読み出す読み出し手段と、前記読み出し手段によって読み出されたデータから音声を復調するための音声再生手段と、前記読み出し手段によって読み出されたデータを再生させるための管理情報を記憶する管理情報記憶手段と、再生するデータを制御する再生データ制御手段と、を備え、前記再生データ制御手段が、選択したデータの再生エラーの発生を検出して選択したデータに代えて選択したデータと異なる再生方式のデータの再生に切り替える再生切り替え手段を有するものである。
【００２３】
また、本発明の光ディスク用信号処理回路は、前記再生切り替え手段が、前記再生エラーの発生位置の経過を検出して切り替え前に再生していたデータの再生に切り替えるものである。
【００２４】
また、本発明の光ディスク用信号処理回路は、前記再生切り替え手段が、トラックの再生終了を検出して切り替え前に再生していたデータの再生に切り替えるものである。
【００２５】
また、本発明の光ディスク用信号処理回路は、前記再生切り替え手段が、選択したステレオ再生方式のデータの再生エラーを検出してマルチチャンネル再生方式のデータのダウンミックスによる再生に切り替えるものである。
【００２６】
また、本発明の光ディスク用信号処理回路は、前記再生切り替え手段が、選択したマルチチャンネル再生方式のデータの再生エラーを検出してステレオ再生方式のデータのマルチチャンネル拡張による再生に切り替えるものである。
【００２７】
また、本発明の光ディスク用信号処理回路は、再生データの切り替えを報知する報知手段を備える。
【００２８】
また、本発明の光ディスク用信号処理回路は、外部指示により前記再生切り替え手段による再生データの切り替えを許可する許可手段を備える。
【００２９】
さらに、本発明のディスク再生方法は、前記データが、ＤＶＤ−Ａｕｄｉｏ規格に準拠したデータ構造のＡＵＤＩＯデータであるものである。
【発明の効果】
【００３０】
本発明によれば、選択したデータの再生エラーの発生を検出して選択したデータに代えて選択したデータと異なる再生方式のデータの再生に切り替えることにより、再生エラーの発生により従来再生が途切れたり再生できなかった部分であっても、再生を継続することができる。
【発明を実施するための最良の形態】
【００３１】
以下、添付図面を参照しながら本発明の実施形態に係るディスク再生装置について詳細に説明する。尚、以下では、データの再生方式を異ならせて異なる領域に記録させたディスクとして、ＤＶＤ−Ａｕｄｉｏ規格に準拠したディスクを用い、再生環境に応じて再生するデータを選択する光ディスク再生装置について説明を行う。
【００３２】
（実施の形態１）
図１は、本発明の実施の形態１における光ディスク再生装置の内部構成を示す図である。光ディスク再生装置は、光ディスク１００内の情報を電気信号に変換する読み出し手段１１０、読み出し手段１１０によって読み出された光ディスク１００内の情報から音声を復調する音声再生手段１３０、読み出し手段１１０によって読み出された光ディスク１００内の情報から音声情報を再生するための管理情報を記憶する管理情報記憶手段１２０、再生する音声データを制御する再生音声データ制御手段１４０で構成される。図１に示す光ディスク再生装置は、光ディスク用信号処理回路を含んで構成される。
【００３３】
管理情報記憶手段１２０は、光ディスク１００に記録されている音声再生のための管理情報を格納する音声属性情報用メモリ１５０と、再生する音声データを制御するための音声データ管理情報用メモリ１６０と、を備える。再生音声データ制御手段１４０は、選択したデータの再生エラーの発生を検出して選択したデータに代えて選択したデータと異なる再生方式のデータの再生に切り替える再生切り替え手段１４１を備える。再生切り替え手段１４１は、光ディスクの音声データに再生の継続が不可能となるエラー部分があるか否かを監視し、エラー部分がある場合、そのエラー部分を再生せず、同一単位内の異なる領域に記録されている別仕様（別の再生方式）の音声データの該当部分に再生を切り替える。
【００３４】
ここで、上記構成の光ディスク再生装置で再生する光ディスクに記録されている管理情報について説明する。
【００３５】
図２は、光ディスクに記録された音声データを再生するための管理情報のデータ構成例を示す図である。管理情報は、主に、音声データの属性が記録されているＡＴＳＩ＿ＭＡＴ２００（ＡＴＳＩ（Audio Title Set Information）管理テーブル）、２種類の音声データが同一内容で同一単位に属することを示す情報が記録されているＡＴＳ＿ＰＧＣＩ＿ＳＲＰ２１０（ＡＴＳ＿プログラム・チェーン情報サーチポインタ）、１つの音声データが複数のトラックとして構成されていることを示す情報が記録されているＡＴＳ＿ＰＧＣ＿ＧＩ２２０（ＡＴＳ＿ＰＧＣ一般情報）、再生するトラックがステレオ再生禁止であるか否かを示す情報が記録されているＡＴＳ＿ＰＧＩ２３０（ＡＴＳプログラム情報）、などで構成される。
【００３６】
図３は、ＡＴＳ＿ＰＧＣＩ＿ＳＲＰ２１０の詳細なデータ構成を示す図である。ＡＴＳ＿ＰＧＣ＿ＣＡＴ３００（ＡＴＳ＿ＰＧＣカテゴリ）内のブロック・モード３１０とブロック・タイプ３２０には、同一内容で仕様が異なる２種類の音声データが存在するという情報が記録される。
【００３７】
図４は、ＡＴＳ＿ＰＧＣ＿ＧＩ２２０の詳細なデータ構成を示す図である。ＡＴＳ＿ＰＧＣ＿ＣＮＴ４００（ＡＴＳ＿ＰＧＣコンテンツ）内のＰＧ数４１０には、１つの音声データが複数のトラックで構成されているという情報が記録される。
【００３８】
図５は、ＡＴＳ＿ＰＧＩ２３０の詳細なデータ構成を示す図である。ＡＴＳ＿ＰＧ＿ＣＮＴ５００（ＡＴＳ＿ＰＧコンテンツ）内のＳｔｅｒｅｏｐｌａｙｂａｃｋｍｏｄｅ５１０には、ステレオ再生禁止か否かの情報が記録される。
【００３９】
次に、光ディスクに記録される音声データに基づいて生成される管理情報について具体的に説明する。
【００４０】
図６は、光ディスクに記録される音声データの論理フォーマットを示す図である。図に示すように、ＰＧＣＢｌｏｃｋ６００は、同一内容で仕様が異なる２種類の音声データ（ＰＧＣ６１０とＰＧＣ６３０）を含む構成をとる。従って、この場合、ＰＧＣＢｌｏｃｋであるか否かを示すブロック・モード３１０領域には、ＰＧＣ６１０とＰＧＣ６３０が存在するＰＧＣＢｌｏｃｋであることを示す情報が記録される。また、ＰＧＣ６１０及びＰＧＣ６３０内には３つのトラックが存在するので、ＰＧＣ内に存在するトラック数を記録するＰＧ数４１０領域には３が記録される。更に、ブロック・タイプ３２０には、ＰＧＣ６１０とＰＧＣ６３０の音声データの仕様の差異が記録される。
【００４１】
尚、音声データは実際には図６に示すような構造で記録されている訳ではなく、物理的な区分により記録された情報を組み合わせ、図６に示す論理的構造で再生が行われるように上記の管理情報が記録されている。尚、音声データの物理フォーマットについては公知の物理構造を用いてよく、従って詳細な説明を省略する。
【００４２】
次に、上記構成の光ディスク再生装置の再生動作について説明する。
【００４３】
図７は、本発明の実施の形態１における光ディスク再生装置の、再生動作手順を示すフローチャートである。光ディスク１００の再生を開始すると、読み出し手段１１０が、光ディスク１００に記録された管理情報の読み出しを行い、読み出した情報を管理情報記憶手段１２０内の音声属性情報用メモリ１５０と音声データ管理情報用メモリ１６０に格納する（ステップＳ１０１）。
【００４４】
次に、再生音声データ制御手段１４０は、ＡＴＳ＿ＰＧＣ＿ＣＡＴ３００領域の情報に基づいて、後述する再生音声データ選択手順に従って再生する音声データを選択する（ステップＳ１０２）。再生音声データ制御手段１４０は、選択した音声データを、読み出し手段１１０を介して読み出し、音声再生手段１３０に転送させる（ステップＳ１０３）。転送された音声データは、音声再生手段１３０で再生される（ステップＳ１０４）。
【００４５】
図８は、再生する音声データの選択手順を示すフローチャートである。再生音声データ制御手段１４０は、ブロック・モード３１０領域に記録されている情報を参照して、これから再生するトラックがＰＧＣＢｌｏｃｋであるか否かを判断する（ステップＳ２０１）。ＰＧＣＢｌｏｃｋでない場合は、ＰＧＣと決定する（ステップＳ２０２）。一方、ＰＧＣＢｌｏｃｋである場合、再生音声データ制御手段１４０は、光ディスク再生装置に接続するスピーカ数を判断し（ステップＳ２０３）、マルチチャンネルである場合はマルチチャンネル用ＰＧＣと決定する（ステップＳ２０４）。またステレオである場合はステレオ用ＰＧＣと決定する（ステップＳ２０５）。
【００４６】
次に、上記構成の光ディスク再生装置の、再生切り替え動作について説明する。
【００４７】
図９は、本発明の実施の形態１における光ディスク再生装置の、再生切り替え動作手順を示すフローチャートである。再生音声データ制御手段１４０の再生切り替え手段１４１は、音声データの再生中に（ステップＳ３０１）、光ディスクの物理的エラーや論理的デコードエラー等を常時監視する（ステップＳ３０２）。再生中にエラーを検出した場合、再生切り替え手段１４１は、再生中の音声データがＰＧＣＢｌｏｃｋであるか否かを判断する（ステップＳ３０３）。
【００４８】
ＰＧＣＢｌｏｃｋでない場合、通常のエラーリカバリ処理を行って処理を終了する（ステップＳ３０４）。一方、ＰＧＣＢｌｏｃｋである場合、同一内容で仕様が異なる（異なる再生方式の）音声データが存在するため、エラー位置を判別して（ステップＳ３０５）、現在再生しているＰＧＣからその音声データが規定されている別仕様のＰＧＣに変更する処理を行う（ステップＳ３０６）。例えば、図６に示す論理構造を持つ光ディスクでは、ＰＧＣ６１０の再生中にエラーを検出した場合はＰＧＣ６３０に、ＰＧＣ６３０の再生中にエラーを検出した場合にはＰＧＣ６１０に、それぞれＰＧＣが変更される。更に、再生切り替え手段１４１は、変更後のＰＧＣで再生をリスタートさせるための切り替え処理を行う（ステップＳ３０７）。以降、再生音声データ制御手段１４０は、音声再生手段１３０に、変更後のＰＧＣで通常の音声データ再生処理を実行させる（ステップＳ３０８）。
【００４９】
以上の手順によれば、選択したデータの再生エラーの発生を検出して選択したデータに代えて選択したデータと異なる再生方式のデータの再生に切り替えることにより、再生エラーの発生により従来再生が途切れたり再生できなかった部分であっても、再生を継続することができる。
【００５０】
（実施の形態２）
次に、本発明の実施の形態２における光ディスク再生装置について説明する。実施の形態２の光ディスク再生装置は、実施の形態１と比較して、エラー発生位置の経過後に切り替え前の仕様（再生方式）の音声データに再生を復帰させる点が異なる。尚、光ディスク再生装置の内部構成は、実施の形態１のそれと同じであるため説明を省略する。また、光ディスク再生装置の再生動作手順についても、実施の形態１のそれと同じであるため説明を省略する。
【００５１】
次に、実施の形態２における光ディスク再生装置の、再生切り替え動作について説明する。
【００５２】
図１０は、本発明の実施の形態２における光ディスク再生装置の、再生切り替え動作手順を示すフローチャートである。ステップＳ４０１からステップＳ４０８までの手順は、実施の形態１の光ディスク再生装置の再生切り替え動作手順（図９のフローチャートにおけるステップＳ３０１からステップＳ３０８）と同様であるため、説明を省略する。
【００５３】
エラーを検出した部分から別仕様の音声データに切り替えた再生が開始すると（ステップＳ４０８）、再生切り替え手段１４１は、再生がエラー部分に該当する箇所を経過したか否かを判断する（ステップＳ４０９）。エラー部分に該当する箇所を経過している場合、元のＰＧＣへ戻しても再生に問題は生じないため、再生切り替え手段１４１は、再生を元のＰＧＣに変更し（ステップＳ４１０）、ＰＧＣの再生をリスタートするための処理を行う（ステップＳ４１１）。
【００５４】
その後、ステップＳ４０１の手順に戻り、音声再生手段１３０で音声データの再生が行われる。尚、以降の再生中に再びエラー部分が検出された場合は、上記のステップＳ４０２以降の手順によって再度、再生の切り替え動作を実行する。
【００５５】
以上の手順によれば、別仕様の音声データに切り替えて再生を行っても、エラー部分が経過した後には元の音声データでの再生に復帰するため、再生が中断することなく、且つエラー部分以外はユーザーが使用しているオーディオシステムに最適な音声データで光ディスクの再生を行うことができる。
【００５６】
（実施の形態３）
次に、本発明の実施の形態３における光ディスク再生装置について説明する。実施の形態３の光ディスク再生装置は、実施の形態２と比較して、エラー部分を含むトラックの再生終了後に切り替え前に再生していた音声データの再生に切り替える点が異なる。尚、光ディスク再生装置の内部構成や再生動作手順は、実施の形態２と同様に実施の形態１のそれと同じであるため説明を省略する。
【００５７】
次に、実施の形態３における光ディスク再生装置の、再生切り替え動作について説明する。
【００５８】
図１１は、本発明の実施の形態３における光ディスク再生装置の、再生切り替え動作手順を示すフローチャートである。ステップＳ５０１からステップＳ５０８までの手順は、実施の形態２の光ディスク再生装置の再生切り替え動作手順（図１０のフローチャートにおけるステップＳ４０１からステップＳ４０８）と同様であるため、説明を省略する。
【００５９】
エラーを検出した部分から別仕様（別の再生方式）の音声データに切り替えた再生が開始すると（ステップＳ５０８）、再生切り替え手段１４１は、当該トラックの再生が終了したか否かを判断する（ステップＳ５０９）。再生が終了した場合、再生切り替え手段１４１は、前トラックでＰＧＣが変更されたか否かを判断し（ステップＳ５１０）、変更されている場合にはＰＧＣを変更前のＰＧＣに復帰して（ステップＳ５１１）、次トラックの再生開始処理を実行する（ステップＳ５１２）。
【００６０】
その後、ステップＳ５０１の手順に戻り、音声再生手段１３０で音声データの再生が行われる。尚、以降の再生中に再びエラー部分が検出された場合は、上記のステップＳ５０２以降の手順によって再度、再生の切り替え動作を実行する。
【００６１】
以上の手順によれば、エラー部分が含まれるトラックのみ別仕様の音声データに再生が切り替えられ、それ以外のトラックでは元の音声データでの再生に復帰するため、再生が中断することなく、且つエラー部分を含むトラック以外はユーザーが使用しているオーディオシステムに最適な音声データで光ディスクの再生を行うことができる。
【００６２】
尚、本実施の形態では、再生の切り替えをエラー部分で行うのではなく、エラー部分を含むトラックの先頭で切り替えを行うようにしてもかまわない。つまり、トラック内にエラー部分を含むことが検出された場合には、当該トラックの先頭に遡って再生の切り替えを行う。このようにすれば、再生の切り替え前後で、それぞれの音声データの同一トラック内における再生位置を一致させるための処理などを省略することができる。
【００６３】
（実施の形態４）
次に、本発明の実施の形態４における光ディスク再生装置について説明する。実施の形態４の光ディスク再生装置は、実施の形態１と比較して、別仕様（別の再生方式）の音声データに再生を切り替える際に、ユーザーのオーディオシステムに適合した再生を行うための処理が付加されている点が異なる。尚、光ディスク再生装置の内部構成や再生動作手順は、実施の形態１のそれと同じであるため説明を省略する。
【００６４】
次に、実施の形態４における光ディスク再生装置の、再生切り替え動作について説明する。
【００６５】
図１２は、本発明の実施の形態４における光ディスク再生装置の、再生の最適化に関わる処理手順を示すフローチャートである。この最適化処理は、再生切り替え動作におけるＰＣＧ変更処理（例えば、実施の形態１の光ディスク再生装置では、図９のフローチャートにおけるステップＳ３０６）の中で実行される。はじめに、再生切り替え手段１４１は、管理情報のブロック・タイプ３２０領域を参照して、エラーが発生したＰＧＣの音声データ属性を判別する（ステップＳ６０１）。属性がステレオである場合、次にブロック・タイプ３２０領域を参照して変更するＰＧＣの音声データ属性を判別する（ステップＳ６０２）。属性がマルチチャンネルである場合、Ｓｔｅｒｅｏｐｌａｙｂａｃｋｍｏｄｅ５１０領域でダウンミックス許可／不許可を判断し（ステップＳ６０３）、許可されている場合はダウンミックス設定処理を行う（ステップＳ６０４）。
【００６６】
一方、エラーが発生したＰＧＣの音声データ属性がマルチチャンネルである場合、同じくブロック・タイプ３２０領域を参照して、変更するＰＧＣの音声データ属性を判別する（ステップＳ６０５）。属性がステレオである場合、マルチチャンネル拡張処理を行う（ステップＳ６０６）。
【００６７】
以上の手順により、ステレオ再生装置での再生中にマルチチャンネルの音声データへ再生が切り替えられる場合にはダウンミックスが実行され、マルチチャンネル再生装置での再生中にステレオの音声データへ再生が切り替えられる場合にはマルチチャンネル拡張が実行されるため、再生する音声データが途中で切り替わっても、ユーザーのオーディオシステムにより適した形態で再生を行うことができる。
【００６８】
（実施の形態５）
次に、本発明の実施の形態５における光ディスク再生装置について説明する。実施の形態５の光ディスク再生装置は、実施の形態１と比較して、音声データにエラー部分が検出された際に別仕様（別の再生方式）の音声データへ再生の切り替えを行うか否かをユーザーが設定できる点と、再生の切り替えが行われる際に、表示により再生データの切り替えを報知する点が異なる。尚、光ディスク再生装置の内部構成や再生動作手順は、実施の形態１のそれと同じであるため説明を省略する。
【００６９】
図１３は、本発明の実施の形態５における光ディスク再生装置の、再生切り替え動作手順を示すフローチャートである。ステップＳ７０１からステップＳ７０４までの手順は、実施の形態１の光ディスク再生装置の再生切り替え動作手順（図９のフローチャートにおけるステップＳ３０１からステップＳ３０４）と同様であるため、説明を省略する。
【００７０】
同一内容で仕様が異なる音声データが存在するＰＧＣＢｌｏｃｋである場合（ステップＳ７０３）、再生切り替え手段１４１は、図示しない外部表示手段に対して、音声データの切り替えを行うか否かを問い合わせる旨の表示を行う（ステップＳ７０５）。図１４は、外部表示手段であるモニタへの表示例を示す模式図である。光ディスク再生装置本体７００に接続するモニタ７１０に、再生の切り替え可否を問い合わせるメッセージ７２０が表示される。
【００７１】
再生切り替え手段１４１は、問い合わせに対する応答を待機し（ステップＳ７０６）、ユーザーが再生の切り替えを行わないと応答した場合、ステップＳ７０４へ移行して通常のリカバリ処理を行う。一方、ユーザーが再生の切り替えを行う（切り替えを許可する）と応答した場合、再生切り替え手段１４１は、エラー位置を判別して（ステップＳ７０７）、現在再生しているＰＧＣから別仕様のＰＧＣに変更する処理を行う（ステップＳ７０８）。再生切り替え手段１４１は、同時に、図示しない外部表示手段に対して、ＰＧＣを変更した旨の表示を行う（ステップＳ７０９）。図１５は、外部表示手段であるモニタへの表示例を示す模式図である。光ディスク再生装置本体７００に接続するモニタ７１０に、再生の切り替え実行を伝えるメッセージ７３０が表示される。
【００７２】
更に、再生切り替え手段１４１は、変更後のＰＧＣで再生をリスタートさせるための処理を行う（ステップＳ７１０）。以降、再生音声データ制御手段１４０は、音声再生手段１３０に、変更後のＰＧＣで通常の音声データ再生処理を実行させる（ステップＳ７１１）。
【００７３】
以上の手順により、再生の切り替えを行うか否かをユーザーが設定できるため、自動で再生が切り替わることによりユーザーを混乱させることを防止できる。また、再生データの切り替えを報知することにより、再生の切り替えによって生じる再生音質の低下等の変化をユーザーに認識させることができる為、ユーザーの混乱を防止できる。
【００７４】
尚、上記の実施の形態において、再生の切り替えを行うか否かの問い合わせを、エラー部分が発生する都度行うのではなく、ユーザーから最初の応答を受信した以降は省略するようにしてもよい。その際は、再生の切り替えが発生した場合にその旨の表示のみが実行される。
【００７５】
また、上記説明では、音声データの再生方式を異ならせて異なる領域に記録させた光ディスクを再生する場合の例を示したが、データの種類やディスクの種類は、これに限定されるものではない。
【産業上の利用可能性】
【００７６】
本発明は、選択したデータの再生エラーの発生を検出して選択したデータに代えて選択したデータと異なる再生方式のデータの再生に切り替えることにより、再生エラーの発生により従来再生が途切れたり再生できなかった部分であっても、再生を継続することができる効果を有し、ディスク再生方法、その制御プログラム、記録媒体、ディスク再生装置及び光ディスク用信号処理回路等に有用である。
【図面の簡単な説明】
【００７７】
【図１】本発明の実施の形態１における光ディスク再生装置の内部構成を示す図
【図２】光ディスクに記録された音声データを再生するための管理情報のデータ構成例を示す図
【図３】ＡＴＳ＿ＰＧＣＩ＿ＳＲＰの詳細なデータ構成を示す図
【図４】ＡＴＳ＿ＰＧＣ＿ＧＩの詳細なデータ構成を示す図
【図５】ＡＴＳ＿ＰＧＩの詳細なデータ構成を示す図
【図６】光ディスクに記録される音声データの論理フォーマットを示す図
【図７】本発明の実施の形態１における光ディスク再生装置の、再生動作手順を示すフローチャート
【図８】再生する音声データの選択手順を示すフローチャート
【図９】本発明の実施の形態１における光ディスク再生装置の、再生切り替え動作手順を示すフローチャート
【図１０】本発明の実施の形態２における光ディスク再生装置の、再生切り替え動作手順を示すフローチャート
【図１１】本発明の実施の形態３における光ディスク再生装置の、再生切り替え動作手順を示すフローチャート
【図１２】本発明の実施の形態４における光ディスク再生装置の、再生の最適化に関わる処理手順を示すフローチャート
【図１３】本発明の実施の形態５における光ディスク再生装置の、再生切り替え動作手順を示すフローチャート
【図１４】外部表示手段であるモニタへの表示例を示す模式図（再生の切り替え可否の問い合わせ）
【図１５】外部表示手段であるモニタへの表示例を示す模式図（再生の切り替え実行）
【符号の説明】
【００７８】
１００  光ディスク
１１０  読み出し手段
１２０  管理情報記憶手段
１３０  音声再生手段
１４０  再生音声データ制御手段
１４１  再生切り替え手段
１５０  音声属性情報用メモリ
１６０  音声データ管理情報用メモリ
２００  ＡＴＳＩ管理テーブル
２１０  ＡＴＳ＿ＰＧＣＩサーチポインタ
２２０  ＡＴＳ＿ＰＧＣ一般情報
２３０  ＡＴＳプログラム情報
３００  ＡＴＳ＿ＰＧＣカテゴリ
３１０  ブロック・モード
３２０  ブロック・タイプ
４００  ＡＴＳ＿ＰＧＣコンテンツ
４１０  ＰＧ数
５００  ＡＴＳ＿ＰＧコンテンツ
５１０  Ｓｔｅｒｅｏｐｌａｙｂａｃｋｍｏｄｅ
６００  ＰＧＣＢｌｏｃｋ
６１０、６３０  ＰＧＣ
６２０、６４０  Ｔｒａｃｋ
７００  光ディスク再生装置本体
７１０  モニタ
７２０、７３０  メッセージ
【図１】
2006179161.tif 000003
【図２】
2006179161.tif 000004
【図３】
2006179161.tif 000005
【図４】
2006179161.tif 000006
【図５】
2006179161.tif 000007
【図６】
2006179161.tif 000008
【図７】
2006179161.tif 000009
【図８】
2006179161.tif 000010
【図９】
2006179161.tif 000011
【図１０】
2006179161.tif 000012
【図１１】
2006179161.tif 000013
【図１２】
2006179161.tif 000014
【図１３】
2006179161.tif 000015
【図１４】
2006179161.tif 000016
【図１５】
2006179161.tif 000017